(57)【特許請求の範囲】
【請求項１】
被検眼の検査情報を取得するための検眼ユニットと、前記被検眼の保持位置を定める支持部材を有するベースと、前記保持位置に対して前記検眼ユニットを移動させる移動手段と、を有する眼科装置であって、
前記保持位置に対する前記検眼ユニットの位置を調整するために、操作桿の操作量に応じて前記移動手段の動作を制御するための信号を出力する操作手段と、
前記操作桿の操作量を検出するための操作量検出手段と、
前記保持位置に対する前記検眼ユニットの位置を検出する位置検出手段と、
前記操作量検出手段により検出された前記操作量が所定の範囲以内である第一の操作量の場合に、前記信号に応じた微動動作により前記移動手段を移動させ、前記操作量が所定の範囲を超える第二の操作量の場合に、前記信号に応じて前記微動動作に比べて高速で移動する粗動動作により前記移動手段を移動させる制御手段と、を備え、
前記位置検出手段により検出された前記保持位置に対する前記検眼ユニットの位置が、予め定められた基準位置よりも前記保持位置に近づいた位置にある場合、前記制御手段は、前記操作手段から入力された前記第二の操作量に対応する信号に対して、前記被検眼の保持位置へ接近する方向への前記移動手段の移動を停止させ、前記被検眼の保持位置に対して後退する方向への前記移動手段の粗動動作による移動を実行させ、前記操作手段から入力された前記第一の操作量に対応する信号に対して、前記接近する方向及び前記後退する方向への前記移動手段の前記微動動作による移動を実行させることを特徴とする眼科装置。
【請求項２】
前記制御手段は、前記操作手段から入力された前記第二の操作量に対応する信号に対して、前記移動手段の移動を停止させていることを表示手段に表示することを特徴とする請求項１に記載の眼科装置。
【請求項３】
前記被検眼の角膜に結像した複数の指標像を撮像する撮像手段を更に備え、
前記制御手段は、前記撮像された複数の指標像の位置情報を用いて、前記検眼ユニットの位置が前記基準位置よりも前記保持位置に近づいた位置にあることを判定することを特徴とする請求項１に記載の眼科装置。
【請求項４】
被検眼の検査情報を取得するための検眼ユニットと、前記被検眼の保持位置を定める支持部材を有するベースと、前記保持位置に対して前記検眼ユニットを移動させる移動手段と、前記保持位置に対する前記検眼ユニットの位置を調整するために、操作桿の操作量に応じて前記移動手段の動作を制御するための信号を出力する操作手段と、前記操作桿の操作量を検出するための操作量検出手段と、前記保持位置に対する前記検眼ユニットの位置を検出する位置検出手段と、を有する眼科装置の制御方法であって、
制御手段が、前記操作量検出手段により検出された前記操作量が所定の範囲以内である第一の操作量の場合に、前記信号に応じた微動動作により前記移動手段を移動させ、前記操作量が所定の範囲を超える第二の操作量の場合に、前記信号に応じて前記微動動作に比べて高速で移動する粗動動作により前記移動手段を移動させる制御工程を有し、
前記位置検出手段により検出された前記保持位置に対する前記検眼ユニットの位置が、予め定められた基準位置よりも前記保持位置に近づいた位置にある場合、前記制御工程は、前記操作手段から入力された前記第二の操作量に対応する信号に対して、前記被検眼の保持位置へ接近する方向への前記移動手段の移動を停止させ、前記被検眼の保持位置に対して後退する方向への前記移動手段の粗動動作による移動を実行させ、前記操作手段から入力された前記第一の操作量に対応する信号に対して、前記接近する方向及び前記後退する方向への前記移動手段の前記微動動作による移動を実行させることを特徴とする眼科装置の制御方法。
【請求項５】
コンピュータを、請求項１乃至３のいずれか１項に記載の眼科装置の各手段として機能させるためのプログラム。
【発明の詳細な説明】
【技術分野】
【０００１】
本発明は、被検眼に対して、操作部材の操作により検眼ユニットを位置合わせして、被検眼の検査、観察、撮影等を行うことが可能な眼科装置、眼科装置の制御方法およびプログラムに関するものである。
【背景技術】
【０００２】
非接触眼圧計等の眼科装置では、被検眼に対して検眼ユニットを所定の位置関係にアライメント調整することが必要である。このアライメント調整のために、検眼ユニットを上下前後左右方向に移動させる操作部材として、ジョイスティックを採用した製品が数多く知られている。眼科装置のジョイスティックは一般的に、被検眼に対して細かく位置合わせする場合には検眼ユニットを小さく動かす「微動」動作を行い、大きく位置合わせする場合には、検眼ユニットを大きく動かす「粗動」動作を行うことが可能である。
【０００３】
また近年、微動動作及び粗動動作を電気的な駆動及び制御方法を用いることで実現した電動ジョイスティックが開発されている（特許文献１） 。特許文献１のジョイスティックでは、所定の傾斜角度範囲（−２０〜＋２０°）で操作されたときは検眼ユニットを「微動」させ、所定の傾斜角度範囲を超えて操作されたときは検眼ユニットを「粗動」させる機構となっている。
【０００４】
被検眼に対して検眼ユニットをアライメントする際、操作に不慣れな検者の操作ミス等により、意図に反してジョイスティックを粗動領域まで操作させることで、検眼ユニットを大きく移動させてしまう可能性があった。これによりアライメント完了までに長い時間がかかってしまうだけでなく、被検眼に検眼ユニットを接触させてしまう恐れがあり、被検者に恐怖を感じさせてしまう要因になっていた。上記のような課題を解決する方法として、例えば、特許文献２では、ＸＹ（左右上下）方向のアライメントが完了するまでＺ（前後）方向の移動を停止させるように制御する方法を提案している。また、特許文献３では、所定の重み付けに応じて、被検眼近くでＸＹ方向のアライメント速度を低速化させるような制御方法を提案している。さらに、特許文献４では、被検眼と検眼ユニットとの位置ずれ量に応じて、アライメント完了までの移動速度を変化させることで課題への解決を図っている。
【先行技術文献】
【特許文献】
【０００５】
【特許文献１】特開２００２-３６９７９９号公報
【特許文献２】特許第３６７２４４７号公報
【特許文献３】特開２００４-２７５５０４号公報
【特許文献４】特許第４２６５８４２号公報
【発明の概要】
【発明が解決しようとする課題】
【０００６】
しかしながら、特許文献２、３の構成は、いずれもＸＹ方向のアライメントに対する工夫に特化した内容であり、ＸＹ方向のアライメント完了後のＺ方向のアライメントの際に、被検眼に向かって検眼ユニットを高速で移動させてしまう可能性があった。また、特許文献４では、Ｚ方向の位置ずれ検出に関する具体的な記載がない為、Ｚ方向の位置ずれ量に応じたＺ方向の速度制御は困難である。また、特許文献２、３、４のいずれの文献も、本来のジョイスティックの微動および粗動の組み合わせという操作性を損なう方法で課題の解決を図っている。
【課題を解決するための手段】
【０００７】
本発明は、被検眼への接触可能性を低減し、被検者の恐怖感を低減させることができる眼科装置を提供することを目的とする。
【０００８】
上記の目的を達成する本発明の一つの側面にかかる眼科装置は、被検眼の検査情報を取得するための検眼ユニットと、前記被検眼の保持位置を定める支持部材を有するベースと、前記保持位置に対して前記検眼ユニットを移動させる移動手段と、を有する眼科装置であって、
前記保持位置に対する前記検眼ユニットの位置を調整するために、操作桿の操作量に応じて前記移動手段の動作を制御するための信号を出力する操作手段と、
前記操作桿の操作量を検出するための操作量検出手段と、
前記保持位置に対する前記検眼ユニットの位置を検出する位置検出手段と、
前記操作量検出手段により検出された前記操作量が所定の範囲以内である第一の操作量の場合に、前記信号に応じた微動動作により前記移動手段を移動させ、前記操作量が所定の範囲を超える第二の操作量の場合に、前記信号に応じて前記微動動作に比べて高速で移動する粗動動作により前記移動手段を移動させる制御手段と、を備え、
前記位置検出手段により検出された前記保持位置に対する前記検眼ユニットの位置が、予め定められた基準位置よりも前記保持位置に近づいた位置にある場合、前記制御手段は、前記操作手段から入力された前記第二の操作量に対応する信号に対して、前記被検眼の保持位置へ接近する方向への前記移動手段の移動を停止させ、前記被検眼の保持位置に対して後退する方向への前記移動手段の粗動動作による移動を実行させ、前記操作手段から入力された前記第一の操作量に対応する信号に対して、前記接近する方向及び前記後退する方向への前記移動手段の前記微動動作による移動を実行させることを特徴とする。
【発明の効果】
【０００９】
本発明によれば、アライメント時の検者の操作ミス等による粗動動作を防止することで、被検眼への接触を防止できる。さらに、被検眼の近くで被検眼に向かって検眼ユニットが高速に移動してくる可能性を無くすことができ、被検者の恐怖感を低減させることができる。
【図面の簡単な説明】
【００１０】
【図１】実施形態に係る眼科装置の一例である非接触眼圧計の概略構成図。
【図２】実施形態に係る眼科装置の操作部材であるジョイスティックの概略構成図。
【図３】実施形態に係る眼科装置の測定部光学系構成図。
【図４】実施形態に係る眼科装置のアライメント時における表示部の概略図。
【図５】実施形態に係る眼科装置のアライメント調整方法を説明する図。
【図６】実施形態に係る眼科装置の制御系の構成を説明するブロック構成図。
【図７】ジョイスティックによる制御方法を説明する図。
【図８】実施形態に係る眼科装置の手動アライメント時のフローチャート。
【発明を実施するための形態】
【００１１】
本発明の実施形態に係る眼科装置を添付の図面の参照により詳細に説明する。眼科装置の一例である非接触眼圧計の概略構成を図１の参照により説明する。この非接触眼圧計は被検者の顔を支持する顔受け部１１２を有するベース１００と、ベース１００上に設けられた駆動部１１６および操作部材であるジョイスティック１０１と、駆動部１１６上に取り付けられた検眼ユニット１１０から構成されている。検眼ユニット１１０は、被検眼の検査情報を取得する。顔受け部１１２は、被検眼の保持位置を定める支持部材として機能する。駆動部１１６は検眼ユニット１１０をＸ、Ｙ、Ｚ方向に移動させるため、それぞれの軸に応じた駆動機構を有している。
【００１２】
[Ｘ軸方向の移動]
ベース１００に対してフレーム１０２は左右方向（紙面に対して垂直な方向であり、以下、Ｘ軸方向）に移動可能である。Ｘ軸方向の駆動機構は、ベース１００上に固定されたＸ軸モータ１０３と、モータ出力軸に連結された送りねじ（不図示）と、送りねじ上をＸ軸方向に移動可能でフレーム１０２に固定されたナット（不図示）で構成されている。Ｘ軸モータ１０３の回転により、送りねじ、ナットを介してフレーム１０２がＸ軸方向に移動する。
【００１３】
[Ｙ軸方向の移動]
フレーム１０２に対してフレーム１０６は上下方向（以下、Ｙ軸方向）に移動可能である。Ｙ軸方向の駆動機構は、フレーム１０２上に固定されたＹ軸モータ１０４と、モータ出力軸に連結された送りねじ１０５と、送りねじ上をＹ軸方向に移動可能でフレーム１０６に固定されたナット１１４で構成されている。Ｙ軸モータ１０４の回転により、送りねじ、ナットを介してフレーム１０６がＹ軸方向に移動する。
【００１４】
[Ｚ軸方向の移動]
フレーム１０６に対してフレーム１０７は前後方向（以下、Ｚ軸方向）に移動可能である。Ｚ軸方向の駆動機構は、フレーム１０７上に固定されたＺ軸モータ１０８と、モータ出力軸に連結された送りねじ１０９と、送りねじ上をＺ軸方向に移動可能でフレーム１０６に固定されたナット１１５で構成されている。Ｚ軸モータ１０８の回転により、送りねじ、ナットを介してフレーム１０７がＺ軸方向に移動する。
【００１５】
フレーム１０７上には測定を行うための検眼ユニット１１０が固定されている。検眼ユニット１１０は被検眼の測定、観察等を行うための光学系を備えている。検眼ユニット１１０の検者側端部には、被検眼Ｅを観察するための表示部材であるＬＣＤモニタ１０９が設けられている。眼圧の測定を行う際に、被検者は顎受け１１２上に顎を乗せ、かつベース１００に固定されている顔受けフレーム（不図示）の額受け部分に額を押し当てることで被検眼の位置を固定させることができる。
【００１６】
[ジョイスティック]
ベース１００には、被検眼Ｅに対して検眼ユニット１１０を位置合わせするための操作部材であるジョイスティック１０１が設けられている。ジョイスティック１０１は、被検眼が保持された保持位置に対する検眼ユニット１１０の位置を調整するために、操作量に応じて駆動部１１６の動作を制御するための信号を出力する。検者はジョイスティック１０１を傾倒操作することにより、駆動部１１６の駆動方向、駆動量、駆動速度を指示し、検眼ユニット１１０を被検眼に対して位置合わせ（アライメント）した後、測定を実施する。
【００１７】
図２は本実施形態にかかる非接触眼圧計にて採用されている電動式のジョイスティック１０１の斜視図である。１は操作桿、２は測定開始釦、４は回転ダイアル、５は軸受けベース、６はＺ（前後）方向の位置検出部、７はＸ（左右）方向の位置検出部である。検者が操作桿１を図中ＬＲ（左右）の方向に傾倒した際には、検眼ユニット１１０が被検眼の眼幅方向（Ｘ軸方向）に移動する。また、ＦＢ（前後）方向に傾倒した際には検眼ユニット１１０が被検眼の保持位置へ接近する方向、または被検眼の保持位置に対して後退する方向（Ｚ軸方向）へ移動する。また、回転ダイアル４をＤ方向またはＵ方向に回転操作した際には、検眼ユニット１１０が上昇または降下する方向（Ｙ軸方向）に移動するようになっている。ジョイスティック１０１による微動動作及び粗動動作についての詳細は後述する。
【００１８】
[光学系]
図３は検眼ユニット１１０内の光学系の構成図を示している。被検眼Ｅの角膜Ｅｃに対向して、平行平面ガラス２０と対物レンズ２１の中心軸上にノズル２２が配置されている。対物レンズ２１の後方に空気室２３、観察窓２４、ダイクロイックミラー２５、プリズム絞り２６、結像レンズ２７、撮像素子２８が配列されている。これらは被検眼Ｅに対する観察光学系の受光用光路及びアライメント検出用光路となっている。
【００１９】
平行平面ガラス２０、対物レンズ２１は対物鏡筒２９によって支持され、その外側には被検眼Ｅを照明する外眼照明光源３０ａ、３０ｂが配置されている。
【００２０】
尚、説明の都合で外眼照明光源３０ａ、３０ｂは図面上下に記述しているが実際には図と垂直方向に光軸に対して対向して配置されている。ダイクロイックミラー２５の反射方向には、リレーレンズ３１、ハーフミラー３２、アパーチャ３３、受光素子３４が配置されている。なお、アパーチャ３３の位置は、角膜Ｅｃの所定変形時に後述する測定用光源３７の角膜反射像が共役になる位置に配置され、受光素子３４と共に角膜Ｅｃが視軸方向に変形するときの変形検出受光光学系とされている。
【００２１】
リレーレンズ３１は角膜Ｅｃの所定変形時にアパーチャ３３とほぼ同等の大きさの角膜反射像を結像するように設計されている。ハーフミラー３２の入射方向には、ハーフミラー３５、投影レンズ３６、測定及び被検眼Ｅに対するアライメント兼用の近赤外ＬＥＤから成る測定用光源３７が配置されている。ハーフミラー３５の入射方向には、検査の際に被検者が固視する、ＬＥＤにより構成される固視用光源３８が配置されている。
【００２２】
空気室２３内にはその一部を構成するシリンダ３９にピストン４０が嵌合され、このピストン４０はソレノイド４２によって駆動されるようになっている。なお、空気室２３内には、内圧をモニタするための圧力センサ４３が配置されている。また、制御部７０が設けられ装置全体を制御している。
【００２３】
測定に際しては、固視用光源３８を点灯して、被検眼Ｅにこの固視用光源３８を固視させた状態で測定開始釦２を押す。測定開始釦２が押されると測定用光源３７が点灯される。測定用光源３７からの光束は、投影レンズ３６によって平行光になり、ハーフミラー３２で反射し、リレーレンズ３１によりノズル２２内に一旦結像され、被検眼Ｅの角膜Ｅｃは結像された光束により照射される。
【００２４】
図４に示すようにアライメント時には、角膜Ｅｃによって結像した角膜輝点はプリズム絞り２６によって分割される。外眼照明光源３０ａ、３０ｂによって照明された被検眼Ｅと、外眼照明光源３０ａ、３０ｂの輝点像３０ａ’、３０ｂ’とともに、撮像素子２８で指標像Ｔ１、Ｔ２として撮像される。Ｔ１とＴ２とのｙ方向における位置の差をΔＺ＝ｙ１−ｙ２とし、撮像素子２８で撮像された指標像Ｔ１、Ｔ２を用いて精密な位置合わせを行う。図４では、ノズル中心軸方向、ノズル中心軸と角膜中心ともにずれた状態を示している。
【００２５】
制御部７０はアライメントに際して、２つの指標像の座標Ｔ１ (ｘ１, ｙ１)、Ｔ２(ｘ２, ｙ２)と、Ｔ１およびＴ２の中心座標Ｔ(ｘt,ｙt)と、を算出する。ここで、指標像Ｔ１、Ｔ２を用いたアライメントについて図５を用いて説明する。尚、図５では角膜中心をＸ座標とＹ座標の交点Ｃ(ｘ０,ｙ０)で示している。ノズルの中心軸と角膜中心がＹ（上下）方向にずれていると、図５(ａ)のようにｙ１とｙ２は一致し、角膜中心Ｃ(ｘ０,ｙ０)に対してｘ０とｘtは一致するが、ｙ方向のｙ０、ｙtは異なる。駆動部１１６はＹ方向に検眼ユニット１１０を動かしてｙ０、ｙtを同じ座標になるように制御する。同様にＸ（左右）方向にずれている場合には図５(ｂ)のようにｘ０とｘtが異なるので、駆動部１１６はＸ方向に検眼ユニット１１０を動かしてｘ０とｘtが同じ座標になるように制御する。
【００２６】
ノズル中心軸と角膜中心が作動距離方向、すなわちＺ方向にずれていると、図５(ｃ)のように重心位置は角膜中心に一致しているが、ｘ１とｘ２、ｙ１とｙ２ともに異なっている。駆動部１１６はＺ方向に検眼ユニット１１０を動かしてｘ１とｘ２、ｙ１とｙ２を一致させるように制御する。アライメントが完了すると図５(ｄ)のように二つの指標像Ｔ１、Ｔ２が角膜中心から等間隔の位置でかつｘ軸上に並び、中心座標Ｔ (ｘt,ｙt)と角膜中心Ｃ(ｘ０,ｙ０)が一致する。
【００２７】
アライメントが完了すると、眼圧測定を行う。制御部７０はソレノイド４２を駆動し、空気室２３内の空気はソレノイド４２により押し上げられるピストン４０によって圧縮され、パルス状の空気としてノズル２２から被検眼Ｅの角膜Ｅｃに向けて噴出する。空気室２３の圧力センサ４３で検出された圧力信号と受光素子３４からの受光信号は制御部７０に出力され、制御部７０は受光信号のピーク値とその時の圧力信号から眼圧値を算出する。
【００２８】
[制御系]
図６は本実施形態にかかる非接触眼圧計の制御系を示す電気ブロック図である。制御部７０には、ジョイスティック１０１から検眼ユニット１１０を被検眼Ｅに位置合わせするための操作および測定を開始するための操作指令が入力される。ジョイスティック１０１を、前後左右に傾けたときのＸ軸、Ｚ軸の傾倒角度入力２０７、回転させたときのエンコーダ入力２１０、測定開始釦押下時の測定開始釦入力２０６が制御部７０に入力される。傾倒角度入力２０７、回転させたときのエンコーダ入力２１０により制御部７０は、ジョイスティック１０１の操作量検出が可能である。
【００２９】
モータ駆動回路１５１は各モータ（顎受モータ１１３、Ｘ軸モータ１０３、Ｙ軸モータ１０４、Ｚ軸モータ１０８）を駆動させる。測定用光源駆動回路１５２は測定用光源３７を点灯させる。ソレノイド駆動回路１５３はソレノイド４２を駆動させる。センサ入力部１５４は各軸の停止位置用センサ等、各種センサからの入力を受け付ける入力部である。また、センサには、被検眼の保持位置に対する検眼ユニット１１０の位置を検出する位置検出センサも含まれ、制御部７０は、被検眼の保持位置に対する検眼ユニット１１０の位置を検出することができる。操作パネル入力部１５５は操作パネルからの各種操作による入力を受け付ける入力部である。メモリ１５６は、制御部７０の制御で必要なデータを保存しておくためのパラメータを記憶する記憶部として機能する。
【００３０】
[ジョイスティックによる制御方法の説明]
図７（ａ）〜（ｅ）は操作桿１のＸ（左右）方向への傾倒角度θに対するジョイスティック１０１の姿勢を例示する。図７（ｆ）は、傾倒角度θとＸ方向位置検出部７の出力である抵抗値Ｒとの関係を示す図である。図７（ｇ）〜（ｋ）は、傾倒角度θに対する検眼ユニット１１０の動きを例示した図である。ここで、それぞれの傾倒角度は、例えばθ１は−２５゜、θ２は−２０゜、θ０は０゜、θ３は＋２０゜、θ４は＋２５゜である。抵抗値Ｒ１、Ｒ２、Ｒ０、Ｒ３、Ｒ４は傾倒角度θ１、θ２、θ０、θ３、θ４にそれぞれ対応している。
【００３１】
[微動動作]
操作桿１が抵抗値Ｒ２〜Ｒ３に対応する傾倒角度θが−２０°≦θ≦＋２０°にある領域（第一の操作量の領域）では、操作桿１の傾倒角度は保持される。このとき、制御部７０は操作桿１の傾倒角度に伴って変化するＸ方向位置検出部７の出力をもとに、Ｘ軸モータ１０３の駆動を位置制御する。例えば、検者が操作桿１の傾倒角度を−２０°≦θ≦＋２０°の範囲に維持した際には、制御部７０は検眼ユニット１１０を傾倒角度０゜からの傾倒角度θに比例して、例えば、−５ｍｍ〜＋５ｍｍの範囲で駆動するようにＸ軸モータ１０３を制御する。すなわち、微動動作による微細なアライメントが可能となる。
【００３２】
[粗動動作]
操作桿１の傾倒角度θが−２５°＜θ＜−２０°にある領域、および、＋２０°＜θ＜＋２５°にある領域（第二の操作量の領域）が粗動動作の対象となる領域である。操作桿１が抵抗値Ｒ１〜Ｒ２に対応する傾倒角度θが−２５°＜θ＜−２０°にある領域では、制御部７０は操作桿１の傾倒角度に伴って変化するＸ方向位置検出部７の出力をもとに、Ｘ軸モータ１０３の駆動を速度制御する。同様に、操作桿１が抵抗値Ｒ３〜Ｒ４に対応する傾倒角度θが＋２０°＜θ＜＋２５°にある領域で制御部７０は操作桿１の傾倒角度に伴って変化するＸ方向位置検出部７の出力をもとに、Ｘ軸モータ１０３の駆動を速度制御する。
【００３３】
例えば、検者が傾倒角度θを−２５°＜θ＜−２０°の範囲に維持した際に、制御部７０は検眼ユニット１１０を操作桿１の傾倒方向に毎秒１５ｍｍの速度で駆動するようにＸ軸モータ１０３を制御する。同様に、傾倒角度θを＋２０°＜θ＜＋２５°の範囲に維持した際には、制御部７０は検眼ユニット１１０を操作桿１の傾倒方向に毎秒１５ｍｍの速度で駆動するようにＸ軸モータ１０３を制御する。すなわち、粗動動作により検眼ユニット１１０を大きく移動させることが可能となる。ここではＸ方向について説明したが、制御部７０は、Ｚ（前後）方向についても位置検出部６の出力により、Ｘ方向と同様に、微動動作及び粗動動作が可能となるように制御可能である。
【００３４】
操作桿１が抵抗値Ｒ１〜Ｒ２に対応する傾倒角度θが−２５°＜θ＜−２０°（＝θ２）にある領域で、検者が操作桿１から手を離すと、操作桿１の傾倒角度は所定角度θ２に復帰する。また、操作桿１が抵抗値Ｒ３〜Ｒ４に対応する傾倒角度θが＋２０°（＝θ３）＜θ＜＋２５°にある領域で、検者が操作桿１から手を離すと、操作桿１の傾倒角度は所定角度θ３に復帰する。検者による操作桿１の保持力が解放された状態で、操作桿１は、粗動動作の傾倒角度の範囲から微動動作の傾倒角度の範囲に復帰するような復帰力を発生させる構成を有する。かかる構成を有することにより、被検眼の近くで被検眼に向かって検眼ユニットが高速に移動してくる可能性を無くすことができ、被検者の恐怖感を低減させることができる。
【００３５】
[非接触眼圧計のアライメント動作]
以上のような構成を持つ非接触眼圧計において、手動によるアライメントを行う際の非接触眼圧計の動作を図８に基づいて説明する。ベース１００には、被検眼の保持位置を定める支持部材として顔受け１１２を有する。検者は被検者の顎を顔受け１１２に載せ、額受け部（不図示）に被検者の額を当てることで、被検眼を固定させた状態で本処理が開始する。手動（マニュアル）アライメントモードを選択した上で、ＬＣＤモニタ１０９に表示された被検眼Ｅを観察しながら、検者はジョイスティック１０１を傾倒動作させることで、被検眼Ｅに対し検眼ユニット１１０のアライメントを行う。この時、検者はジョイスティック１０１を所定の傾斜角度範囲（−２０〜＋２０°）で操作すると、検眼ユニット１１０を低速で移動させる「微動動作」が可能になる。また、ジョイスティック１０１を所定の傾斜角度範囲を超えて操作すると、検眼ユニット１１０を、微動動作に比べて高速で移動する「粗動動作」が可能になる（Ｓ８０１）。
【００３６】
アライメント時、検眼ユニット１１０が被検眼Ｅに対してＺ方向にずれていると、図５（ｃ）のように指標像Ｔ１（ｘ１、ｙ１）、Ｔ２（ｘ２、ｙ２）のｘ位置、ｙ位置はともに異なっている。Ｔ１とＴ２とのｙ方向における位置の差をΔＺ＝ｙ１−ｙ２とし、アライメント中の検眼ユニット１１０のＺ（前後）方向の位置をＺｂとし、アライメント完了目標位置をＺａとすると、Ｚｂは、Ｚｂ＝Ｚａ＋ＫΔＺ  と表すことができる。Ｋは比例係数である。
【００３７】
撮像素子２８にて指標像Ｔ１、Ｔ２を認識すると（Ｓ８０２−Ｙｅｓ）、制御部７０はＴ１（ｘ１、ｙ１）、Ｔ２（ｘ２、ｙ２）の位置と、指標像Ｔ１、Ｔ２の位置の差ΔＺ＝ｙ１−ｙ２を算出する（Ｓ８０３）。制御部７０はΔＺに対し所定の比例係数Ｋを乗算した上で、メモリ１５６に記憶してあるアライメント完了目標位置Ｚａを読み出し、アライメント中の検眼ユニット１１０の被検眼に向かう方向のＺ方向位置Ｚｂ（Ｚｂ＝Ｚａ＋ＫΔＺ）を算出する（Ｓ８０４）。
【００３８】
さらに制御部７０は、予め検者が設定しておいた所定のＺ位置パラメータＺｃ（基準位置）をメモリ１５６から読み出し、Ｚ方向位置ＺｂとＺ位置パラメータＺｃ（基準位置）とを比較する（Ｓ８０５）。ここで、所定のＺ位置パラメータＺｃ（基準位置）とは、被検眼の保持位置に対して、検眼ユニット１１０側に予め定められた距離だけ離間した位置をいう。
【００３９】
Ｚ方向位置Ｚｂが所定のＺ位置パラメータＺｃ（基準位置）よりも大きい値である場合（Ｓ８０５−Ｎｏ）、Ｚ方向位置Ｚｂは被検眼の保持位置に対して基準位置よりも遠い位置にあることになる。この場合、処理はステップＳ８０１に戻され、そのまま微動動作および粗動動作が有効な状態でアライメント動作を続行する。一方、ステップＳ８０５の判定で、Ｚ方向位置ＺｂがＺ位置パラメータＺｃ（基準位置）以下の値である場合（Ｓ８０５−Ｙｅｓ）、Ｚ方向位置Ｚｂは被検眼の保持位置に対して基準位置よりも近い位置にあることになる。この場合、制御部７０は、ジョイスティックから入力される粗動動作を無効にする（Ｓ８０６）。つまり、制御部７０は、ジョイスティックからの入力信号（２０７、２１０）が粗動動作を行うべき入力であったとしても、モータ駆動回路１５１に動作信号を発信しないように制御する。検出された被検眼の位置に対する検眼ユニット１１０の位置が、予め定められた基準位置よりも保持位置に近づいた位置にある場合、制御部７０は、粗動動作を行うべき入力に対して、検眼ユニット１１０を移動させる駆動部１１６を停止するように制御する。
【００４０】
被検眼の近くで検者がジョイスティック１０１に対し所定の傾斜角度範囲を超える操作を行っても、検眼ユニット１１０は停止したまま、移動しないように制御される。この時、検者がジョイスティック１０１を所定の傾斜範囲以内で操作した場合、微動動作は有効であり、微動動作を行うことができる（Ｓ８０７）。
【００４１】
上記の制御により、被検眼Ｅに近い位置では小さく動かす微動のみでアライメントを行うことで微妙な位置調整が可能となり、アライメント精度の向上及びアライメント時間の大幅な短縮が可能となる。また、アライメント時の検者の操作ミス等による粗動動作を防止することで、被検眼への接触を防止できる。さらに、被検眼近くで被検眼に向かって検眼ユニットが高速に移動してくる可能性がなくなることにより、被検者の恐怖感を低減させることができる。
【００４２】
粗動動作が無効になると、ＬＣＤモニタ１０９上の所定位置に、粗動動作が制御部７０によって無効にされていることが表示される。これにより検者は現在粗動動作が無効中であると認識でき、故障等の心配をすることなくアライメント作業を続行することが可能となる。微動のみによるアライメント操作にてＸＹＺすべてのアライメントが完了した後（Ｓ８０８）、測定開始釦２を押すことにより測定が開始される（Ｓ８０９）。
【００４３】
粗動動作を無効化した後、アライメント完了前にアライメントを中断する必要がある場合、例えば、被検眼から離れる方向にジョイスティックを傾倒させる。そして、制御部７０は、Ｚ方向位置ＺｂをＺ位置パラメータＺｃ（基準位置）よりも大きい値となる位置まで微動動作で検眼ユニット１１０の位置を後退させることで、粗動動作を再び有効化することが可能になる。
【００４４】
本実施形態では、粗動動作を無効にする条件としてアライメント指標像を利用して検眼ユニット１１０のＺ方向位置を算出する方法を用いた。本発明はこれに限定されるものではなく、別光源、例えば外眼照明光源３０ａ、３０ｂの輝点像３０ａ’、３０ｂ’を用いて、輝点像３０ａ’、３０ｂ’のボケ具合からＺ位置を算出する方法でもよい。また、フォトセンサ等のセンサ機構により検眼ユニット１１０のＺ方向位置を直接検出させてもよい。
【００４５】
本実施形態では、モータ駆動回路１５１を全軸共通とし、所定条件下で全軸の粗動動作を無効にする構成を説明した。本発明はこの構成に限定されるものではなく、各軸別個のモータ駆動回路を配置し、所望の軸に対してのみ、所定条件下で粗動動作を無効にすることもできる。また、同軸内の一方向のみの粗動動作を無効とすることもできる。例えば、所定条件下でＺ（前後）方向の内、被検眼の保持位置の方向に対して検眼ユニットが近づく方向のみ、粗動動作を無効にしてもよい。すなわち、制御部７０は、被検眼が保持された保持位置へ接近する方向に対して、検眼ユニット１１０の移動が停止するようにＺ軸モータ１０８の動作を制御することも可能である。
【００４６】
本実施形態では、眼科装置として非接触眼圧計を用いたが、本発明はこれに限定されるものではなく、眼屈折力測定装置、眼底カメラ、ＯＣＴ等、ジョイスティック等により被検眼に対して検眼ユニットのアライメントが必要な眼科装置の全般に適用可能である。
【００４７】
本実施形態によれば、被検眼近くにおける微動のみでのアライメントで微妙な位置調整が容易に可能となり、アライメント精度の向上及びアライメント時間の短縮化を実現できる。また、アライメント時の検者の操作ミス等による粗動動作を防止することで、被検眼への接触を防止できる。さらに、被検眼近くで被検眼に向かって検眼ユニットが高速に移動してくる可能性がなくなることにより、被検者の恐怖感を低減させることができる。
【００４８】
（変形例）
上述の実施形態では、所定条件下で粗動動作を無効として、粗動操作時の動作を停止させる構成を説明した。しかしながら、本発明はこの構成に限定されるものではなく、所定条件下では、粗動動作時に比べて遅い移動速度で検眼ユニット１１０が移動するように駆動部１１６の移動速度を制御することも可能である。粗動動作時に比べて遅い移動速度として、例えば、制御部７０は微動動作時の移動速度、あるいは微動動作時の移動速度よりも更に遅い速度で移動するように駆動部１１６の移動速度を制御することも可能である。この場合、粗動動作時の速度パターン（第一の速度パターン）として、例えば、時間に対して線形に速度が変化する線形の速度パターンを設定しておく。そして、粗動動作時に比べて低速の移動速度を実現するための速度パターン（第二の速度パターン）を設定しておく。第二の速度パターンとしては、例えば、第一の速度パターンにおける線形の速度パターンに比べて傾きの小さい線形の速度パターンを設定することが可能である。あるいは、線形の速度パターン（第一の速度パターン）に比べて低速となる領域の関数として、放物線のような非線形の関数で定義される速度パターンを第二の速度パターンとして設定することも可能である。制御部７０は、第一の速度パターンから低速の第二の速度パターンに切り替えることで、粗動動作時に比べて遅い移動速度で検眼ユニット１１０の移動速度を制御することができる。
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005896605.tif 000002
【図３】
0005896605.tif 000003
【図４】
0005896605.tif 000004
【図５】
0005896605.tif 000005
【図６】
0005896605.tif 000006
【図８】
0005896605.tif 000007
【図２】
0005896605.tif 000008
【図７】
0005896605.tif 000009